(57)【要約】【課題】ユーザに視認されるフリッカを低減することができる技術を提供する。【解決手段】複数のフレームからなる画像信号に基づき画像を表示する表示装置であって、発光手段と、複数の画素を有し、前記発光手段からの光を変調することで画面上に画像を表示する表示手段と、前記複数のフレームのうち対象フレームの輝度に関する第１特徴値を取得する取得手段と、前記第１特徴値に基づいて前記発光手段の発光輝度を制御する制御手段と、を有し、前記制御手段は、前記対象フレームの前記第１特徴値と前記対象フレームの前のフレームの輝度に関する第２特徴値との変化が、前記対象フレームと前記前のフレームとの間における局所的な輝度変動によるものである場合に、そうでない場合よりも、前記発光手段の発光輝度の変化が緩やかになるように、前記発光手段を制御する。【選択図】図１
2019168587.tif 000002
【特許請求の範囲】
【請求項１】
複数のフレームからなる画像信号に基づき画像を表示する表示装置であって、
発光手段と、
複数の画素を有し、前記発光手段からの光を変調することで画面上に画像を表示する表示手段と、
前記複数のフレームのうち対象フレームの輝度に関する第１特徴値を取得する取得手段と、
前記第１特徴値に基づいて前記発光手段の発光輝度を制御する制御手段と、
を有し、
前記制御手段は、前記対象フレームの前記第１特徴値と前記対象フレームの前のフレームの輝度に関する第２特徴値との変化が、前記対象フレームと前記前のフレームとの間における局所的な輝度変動によるものである場合に、そうでない場合よりも、前記発光手段の発光輝度の変化が緩やかになるように、前記発光手段を制御することを特徴とする表示装置。
【請求項２】
前記制御手段は、
前記第１特徴値が前記第２特徴値以上である場合に、前記対象フレームにおいて第１閾値以上の高い輝度の領域の面積に関する第１パラメータを取得し、
前記第１パラメータが第２閾値以上である場合に、そうでない場合よりも、前記発光手段の発光輝度の変化が緩やかになるように、前記発光手段を制御することを特徴とする請求項１に記載の表示装置。
【請求項３】
前記制御手段は、
前記第１特徴値が前記第２特徴値より小さい場合に、前記対象フレームにおいて第３閾値以下の低い輝度の領域の面積に関する第２パラメータを取得し、
前記第２パラメータが第４閾値以上である場合に、そうでない場合よりも、前記発光手段の発光輝度の変化が緩やかになるように、前記発光手段を制御することを特徴とする請求項１または請求項２に記載の表示装置。
【請求項４】
前記第１特徴値は、前記対象フレームの輝度の最大値を示す値であり、
前記第２特徴値は、前記対象フレームの前のフレームの輝度の最大値を示す値であることを特徴とする請求項１乃至請求項３のいずれか１項に記載の表示装置。
【請求項５】
前記制御手段は、前記第１特徴値および前記第２特徴値に基づいて、前記発光手段の発光を制御するための第３特徴値を決定し、
前記第３特徴値に基づいて、前記発光手段の発光を制御することを特徴とする請求項１乃至請求項３のいずれか１項に記載の表示装置。
【請求項６】
前記第２特徴値は、前記対象フレームの前のフレームに対して決定された前記第３特徴値であることを特徴とする請求項５に記載の表示装置。
【請求項７】
前記制御手段は、前記第１特徴値と前記第２特徴値とに基づいて前記発光手段の制御に用いる第３特徴値を決定し、前記第３特徴値に基づいて前記発光手段の発光輝度を制御するものであって、
前記制御手段は、
前記第１特徴値が前記第２特徴値以上である場合に、前記対象フレームにおいて第１閾値よりも高い輝度の領域の面積に関する第１パラメータを取得し、
前記第１パラメータが大きいほど、前記第２特徴値に対する前記第３特徴値の変化率が大きくなるように、前記第３特徴値を決定することを特徴とする請求項１に記載の表示装
置。
【請求項８】
前記第１パラメータが小さいほど、前記第１パラメータに対する前記変化率の変化が小さいことを特徴とする請求項７に記載の表示装置。
【請求項９】
前記第１パラメータと前記変化率との関係は、人間の視覚特性に基づいて予め設定されていることを特徴とする請求項７または請求項８に記載の表示装置。
【請求項１０】
前記制御手段は、前記第１特徴値と前記第２特徴値とに基づいて前記発光手段の制御に用いる第３特徴値を決定し、前記第３特徴値に基づいて前記発光手段の発光輝度を制御するものであって、
前記制御手段は、
前記第１特徴値が前記第２特徴値より小さい場合に、前記対象フレームにおいて第３閾値よりも低い輝度の領域の面積に関する第２パラメータを取得し、
前記第２パラメータが大きいほど、前記第２特徴値に対する前記第３特徴値の変化率が大きくなるように、前記第３特徴値を決定することを特徴とする請求項１および請求項７乃至請求項９のいずれか１項に記載の表示装置。
【請求項１１】
前記第２パラメータが小さいほど、前記第２パラメータに対する前記変化率の変化が小さいことを特徴とする請求項１０に記載の表示装置。
【請求項１２】
前記第２パラメータと前記変化率との関係は、人間の視覚特性に基づいて予め設定されていることを特徴とする請求項１０または請求項１１に記載の表示装置。
【請求項１３】
前記第１特徴値は、前記対象フレームの輝度の最大値を示す値であり、
前記第２特徴値は、前記対象フレームの前のフレームの輝度の最大値を示す値であることを特徴とする請求項７乃至請求項１２のいずれか１項に記載の表示装置。
【請求項１４】
前記第２特徴値は、前記対象フレームの前のフレームに対して決定された前記第３特徴値であることを特徴とする請求項７乃至請求項１２のいずれか１項に記載の表示装置。
【請求項１５】
前記発光手段は、複数の発光領域のそれぞれの発光輝度を個別に制御可能であって、
前記制御手段は、前記複数の発光領域のそれぞれに対応するフレームの領域に基づいて、対応する発光領域の発光輝度を制御することを特徴とする請求項１乃至請求項１４のいずれか１項に記載の表示装置。
【請求項１６】
前記対象フレームの前のフレームは、前記対象フレームの直前のフレームであることを特徴とする請求項１乃至請求項１５のいずれか１項に記載の表示装置。
【請求項１７】
複数のフレームからなる画像信号に基づき画像を表示する表示装置の制御方法であって、
発光手段により発光する発光ステップと、
複数の画素を有し、前記発光手段からの光を変調することで画面上に画像を表示する表示ステップと、
前記複数のフレームのうち対象フレームの輝度に関する第１特徴値を取得する取得ステップと、
前記第１特徴値に基づいて前記発光手段の発光輝度を制御する制御ステップと、
を有し、
前記制御ステップでは、前記対象フレームの前記第１特徴値と前記対象フレームの前のフレームの輝度に関する第２特徴値との変化が、前記対象フレームと前記前のフレームと
の間における局所的な輝度変動によるものである場合に、そうでない場合よりも、前記発光手段の発光輝度の変化が緩やかになるように、前記発光手段を制御することを特徴とする表示装置の制御方法。
【請求項１８】
コンピュータを、請求項１乃至請求項１６のいずれか１項に記載された表示装置の各手段として機能させるためのプログラム。
【発明の詳細な説明】
【技術分野】
【０００１】
本発明は、表示装置及びその制御方法に関するものである。
【背景技術】
【０００２】
近年、液晶表示ディスプレイにおいて、高いコントラスト表示を実現させる方式の一つとして、画像信号に合わせて画面全体の光源輝度を変調するグローバルディミング（以下、ＧＤ)制御技術がある。このＧＤ制御では、画像信号の輝度再現性を高めるために、入
力された画像信号の最大階調値に応じて光源の明るさを制御している。このＧＤ制御において、バックライトの光源の明るさを、入力された画像信号の最大値に応じて変化させてしまうと、ノイズが多い画像や、物体の光反射が多い画像では、光源の輝度が大きく変化する。
【０００３】
一般に液晶ディスプレイは、画像に合わせて液晶素子の透過率を変化させたとき、液晶の応答速度が遅いため、１フレーム期間かけて所望の透過率となる変化を示す。つまり、液晶の透過率が変化している途中で、光源の明るさが変化した場合、意図しない輝度が液晶を透過する漏れ輝度が発生し、フリッカ（妨害感）が発生する場合がある。この場合には、ＧＤ制御において、光源の輝度を大きく変化させた場合は、フリッカが大きく発生してしまうことが懸念される。
このような課題を解決するために、画像信号の平均輝度が暗いレベルから明るいレベルへと変動する場合と、逆に明るいレベルから暗いレベルへと変動する場合とで、光源の輝度制御を異なるようにする技術が開示されている（特許文献１）。
【先行技術文献】
【特許文献】
【０００４】
【特許文献１】特開２００６−１３３７５０号公報
【発明の概要】
【発明が解決しようとする課題】
【０００５】
しかしながら、特許文献１のような従来の技術では、平均輝度値の変化に応じて光源の輝度の制御を行っているため、輝度変動が目につくような画像の切り替わりを検出することが困難である。
画像１フレームの平均輝度値は、一定値になる傾向があるため、従来の技術では、最大値が変化したことをうまく検出できず、光源輝度が大きく変動してしまうおそれがある。光源輝度が大きく変動してしまうと、漏れ輝度が発生して、ユーザにフリッカとして視認されてしまうことが懸念される。
【０００６】
本発明は上記したような事情に鑑みてなされたものであり、ユーザに視認されるフリッカを低減することができる技術を提供することを目的とする。
【課題を解決するための手段】
【０００７】
本発明の第１態様は、
複数のフレームからなる画像信号に基づき画像を表示する表示装置であって、
発光手段と、
複数の画素を有し、前記発光手段からの光を変調することで画面上に画像を表示する表示手段と、
前記複数のフレームのうち対象フレームの輝度に関する第１特徴値を取得する取得手段と、
前記第１特徴値に基づいて前記発光手段の発光輝度を制御する制御手段と、
を有し、
前記制御手段は、前記対象フレームの前記第１特徴値と前記対象フレームの前のフレームの輝度に関する第２特徴値との変化が、前記対象フレームと前記前のフレームとの間における局所的な輝度変動によるものである場合に、そうでない場合よりも、前記発光手段の発光輝度の変化が緩やかになるように、前記発光手段を制御することを特徴とする表示装置を提供する。
【０００８】
本発明の第２態様は、
複数のフレームからなる画像信号に基づき画像を表示する表示装置の制御方法であって、
発光手段により発光する発光ステップと、
複数の画素を有し、前記発光手段からの光を変調することで画面上に画像を表示する表示ステップと、
前記複数のフレームのうち対象フレームの輝度に関する第１特徴値を取得する取得ステップと、
前記第１特徴値に基づいて前記発光手段の発光輝度を制御する制御ステップと、
を有し、
前記制御ステップでは、前記対象フレームの前記第１特徴値と前記対象フレームの前のフレームの輝度に関する第２特徴値との変化が、前記対象フレームと前記前のフレームとの間における局所的な輝度変動によるものである場合に、そうでない場合よりも、前記発光手段の発光輝度の変化が緩やかになるように、前記発光手段を制御することを特徴とする表示装置の制御方法を提供する。
【発明の効果】
【０００９】
本発明によれば、ユーザに視認されるフリッカを低減することが可能となる。
【図面の簡単な説明】
【００１０】
【図１】実施例１の表示装置の構成を示す模式図
【図２】実施例１の発光部における分割した制御エリアを示す模式図
【図３】実施例１の明部ＴＢＬのデータ構造を示す模式図
【図４】実施例１の暗部ＴＢＬのデータ構造を示す模式図
【図５】実施例１の画像信号の時間変化のイメージを示す模式図
【図６】実施例１の制御を行う前の液晶の透過率、光源の点灯制御を示す模式図
【図７】実施例１の液晶の透過率、光源の点灯制御を示す模式図
【図８】実施例１の表示処理を説明するためのフローチャート
【図９】実施例２の表示装置の構成を示す模式図
【図１０】フリッカが発生する画像信号の変化例を示す模式図
【図１１】変形例２の明部ＴＢＬおよび暗部ＴＢＬを示す模式図
【発明を実施するための形態】
【００１１】
以下に図面を参照して、この発明を実施するための形態を例示的に詳しく説明する。なお、以下の説明では、本実施形態に係る表示装置が透過型の液晶表示装置である場合の例を説明するが、本実施形態に係る表示装置は透過型の液晶表示装置に限らない。本実施形態に係る表示装置は、発光手段と、複数の画素を有し、複数のフレームからなる入力画像信号に基づき発光手段からの光を変調することで画面上に画像を表示する表示手段と、を有する表示装置であればよい。例えば、本実施形態に係る表示装置は、反射型の液晶表示装置であってもよく、また、液晶素子の代わりにＭＥＭＳ（Ｍｉｃｒｏ  Ｅｌｅｃｔｒｏ
Ｍｅｃｈａｎｉｃａｌ  Ｓｙｓｔｅｍ）シャッターを用いたＭＥＭＳシャッター方式表示装置であってもよい。
【００１２】
＜実施例１＞
以下に、実施例１について説明する。
［表示装置の概要］
本実施例では、入力された画像信号（入力画像信号）の明部面積情報または暗部面積情報に基づいて、輝度に関する特徴量を決定し、発光部の光量および表示部の画像を制御する動作について説明する。ここで、明部面積情報とは、画像信号のフレーム単位で、所定の閾値以上の輝度値となる画素の、面内（後述する表示部１０１が画像を表示する画面の画面内）に占める割合を示した情報（明部情報）である。暗部面積情報とは、画像信号のフレーム単位で、所定の閾値以下の輝度値となる画素の、面内に占める割合を示した情報（暗部情報）である。
本実施例では、画像信号の明部面積情報または暗部面積情報に応じて、光源制御と画像表示制御を実現することで、フリッカを低減した画像表示が可能とする。
【００１３】
［表示装置の構成］
図１は、本実施例に係る表示装置１の構成の一例を示す模式図である。
表示装置１は、表示部１０１、発光部１０２、および制御回路基板を備える。制御回路基板は、変換部１０３、特性取得部１０４、明部ＴＢＬ１０５、係数決定部１０６、暗部ＴＢＬ１０７、係数決定部１０８を有する。さらに制御回路基板は、フレームメモリ１０９、特徴量決定部１１０、信号分配部１１１、信号処理部１１２、光源駆動部１１３を有する。なお、制御回路基板の各機能は、制御回路基板に実装された１以上のプロセッサおよび電子回路で実行されるとする。
【００１４】
制御回路基板は、入力された画像信号の対象フレームの輝度に関する特徴値に基づいて、発光部１０２の発光輝度を制御する。また、制御回路基板は、次のような制御を行う。対象フレームの特徴値と対象フレームの前のフレームの輝度に関する特徴値との変化が、フレーム間における局所的な輝度変動によるものである場合に、そうでない場合よりも、発光部１０２の発光輝度の変化が緩やかになるように発光部１０２を制御する。これにより、発光部１０２の輝度変化の応答速度と、表示部１０１の透過率の変化の応答速度との差によるフリッカの発生を抑制する。
【００１５】
表示部１０１は、複数の画素を有し、複数のフレームからなる画像信号に基づき発光部１０２からの光を変調することで画面上に画像を表示する表示手段である。表示部１０１は、例えば、液晶パネルである。
発光部１０２は、表示部１０１に対して照射する光を発光する発光手段である。発光部１０２は例えば、光源としてＬＥＤを用い、１つの制御エリアを有する。制御エリアは、光源駆動部１１３から出力された点灯制御信号Ｖに応じて駆動され、制御エリアのＬＥＤが独立に輝度制御可能に構成されている。
【００１６】
図２は、発光部１０２における制御エリアを示す模式図である。本実施例では、図２に示すように、発光部１０２には、１つの制御エリア１０２０１が設けられている。
以降、変換部１０３、特性取得部１０４、係数決定部１０６，１０８、フレームメモリ１０９、特徴量決定部１１０、信号分配部１１１、信号処理部１１２、光源駆動部１１３の各機能ブロックは、入力された複数のフレームについて順に処理を行うとする。ここで、処理対象とするフレームを対象フレームと呼称する。
【００１７】
変換部１０３は、対象フレームを輝度情報Ｙに変換する変換部である。輝度情報Ｙは特性取得部１０４、係数決定部１０６、係数決定部１０８へ出力される。変換部１０３は、対象フレームの各画素の画素値（階調値）を各画素の輝度値ｙに変換して、対象フレームの輝度情報Ｙを取得する。変換部１０３が、入力された画像信号を画素毎に輝度情報Ｙへ
変換する変換手順について説明する。計算には、式（１）を用いて計算する。本実施例では、画素値は、赤色、緑色、および青色の階調値（Ｒ，Ｇ，Ｂ）であるとする。
ｙ＝ａＲ＋ｂＧ＋ｃＢ  ・・・式（１）
ここで、ａ、ｂ、ｃはＲＧＢそれぞれの信号値を輝度に変換する際の換算係数である。
特性取得部１０４は、輝度情報Ｙに基づいて、対象フレームの輝度の最大値に関連する特徴量を取得する。特性取得部１０４は、変換された輝度情報Ｙから、輝度が最大となる最大輝度値ＹＭを特徴量として取得するとする。特性取得部１０４は、特徴量（最大輝度値ＹＭ）をフレームメモリ１０９、および特徴量決定部１１０へ出力する。
【００１８】
明部ＴＢＬ１０５は、画像信号の明部面積情報ＳＢに応じて選択する明部時定数情報を保存したテーブルデータである。明部時定数情報は、フレーム毎に変化する最大輝度値ＹＭの時間応答（応答時間）を決定する時定数に関する情報である。
図３は、明部ＴＢＬ１０５のデータ構造を示す模式図であり、対象フレームの明部面積情報ＳＢと時定数との対応関係を示している。図３のテーブルデータは、明部面積情報ＳＢに応じた時定数を算出できるテーブル構造となっている。本実施例において時定数は、最大値を１０２３として正規化された値で保存されている。また、明部面積情報ＳＢが小さいほど、時定数が小さい関係であるとよい。
係数決定部１０６は、入力された輝度ｙが閾値ＨＢ以上となる面内画素面積である明部面積情報ＳＢを計算し、明部面積情報ＳＢに応じた時定数である明部時定数ＴＢを決定する決定部である。明部面積情報ＳＢは、対象フレームにおいて、輝度が閾値ＨＢ以上となる領域の面積を示すパラメータである。決定した明部時定数ＴＢは、特徴量決定部１１０へ出力される。
【００１９】
暗部ＴＢＬ１０７は、画像信号の暗部面積情報ＳＤに応じて選択する暗部時定数情報を保存したテーブルデータである。暗部時定数情報は、フレーム毎に変化する最大輝度値ＹＭの時間応答を決定する時定数に関する情報である。
図４は、暗部ＴＢＬ１０７のデータ構造を示す模式図であり、対象フレームの暗部面積情報ＳＤと時定数との対応関係を示している。図４のテーブルデータは、暗部面積情報ＳＤに応じた時定数を算出できるテーブル構造となっている。本実施例において時定数は、最大値を１０２３として正規化された値で保存されている。また、暗部面積情報ＳＤが小さいほど、時定数が小さい関係であるとよい。
係数決定部１０８は、入力された輝度ｙが閾値ＨＤ以下となる面内画素面積である暗部面積情報ＳＤを計算し、暗部面積情報ＳＤに応じた時定数である暗部時定数ＴＤを決定する決定部である。暗部面積情報ＳＤは、対象フレームにおいて、輝度が閾値ＨＤ以下となる領域の面積を示すパラメータである。決定した暗部時定数ＴＤは、特徴量決定部１１０へ出力される。
【００２０】
フレームメモリ１０９は、特性取得部１０４からの最大輝度値ＹＭを、画像のフレーム期間毎に一時保存（記憶）し、１フレーム期間遅らせた最大輝度値ＹＭ（第２特徴値）を特徴量決定部１１０へ出力する。すなわち、フレームメモリ１０９は、対象フレームの前のフレームの特徴量（最大輝度値ＹＭ）を特徴量決定部１１０に出力する。
特徴量決定部１１０は、対象フレームの特徴量（最大輝度値ＹＭ（ｎ））、対象フレームの前（直前）のフレームの特徴量（最大輝度値ＹＭ（ｎ−１））に基づいて、発光部１０２の輝度を制御するために用いる特徴量Ａ（第３特徴値）を決定する。以下の説明では、説明の便宜上、対象フレームの前のフレームを、単に、前のフレームという場合がある。対象フレームは、複数のフレームのうちｎ番目のフレームであり、前のフレームは、ｎ−１番目のフレームである。
特徴量決定部１１０は、明部時定数ＴＢおよび暗部時定数ＴＤの少なくとも一方を用いて、特徴量Ａを決定する。特徴量決定部１１０は、制御エリアに対して特徴量Ａを決定し、信号分配部１１１へ出力する。
【００２１】
信号分配部１１１は、入力された特徴量Ａに基づいて、制御エリアに対応する表示部１０１の領域の信号ゲインｂｓと、発光部１０２の制御エリアの光源制御パラメータｂｄとを決定する。信号ゲインｂｓは、対象フレームの画素値に対して乗算する係数情報である。光源制御パラメータｂｄは、発光部１０２の制御エリアに対応した明るさの情報である。入力された画像の信号値から、制御エリアの明るさを決定する。信号分配部１１１は、制御エリアの光源制御パラメータｂｄを光源駆動部１１３に出力する。信号分配部１１１は、信号ゲインｂｓを信号処理部１１２へ送信する。
信号処理部１１２は、対象フレームの画素値に対して、信号ゲインｂｓを乗算する信号処理を実行する。
光源駆動部１１３は、信号分配部１１１からの光源制御パラメータｂｄと、入力された画像信号の同期信号に基づいて、フレーム期間毎に、光源制御パラメータｂｄを点灯制御信号Ｖとして出力する。点灯制御信号Ｖは発光部１０２へ出力される。
【００２２】
以下に、本実施例の表示装置１の表示処理について説明する。図８は、本実施例の表示処理を説明するためのフローチャートである。
まず、ステップＳ８０１において、変換部１０３が、対象フレームを輝度情報Ｙに変換する。
次にステップＳ８０２で、特性取得部１０４が、変換された輝度情報Ｙから、輝度が最大となる最大輝度値ＹＭを特徴量として取得する。
次にステップＳ８０３で、係数決定部１０６が、変換部１０３から入力された画像信号の画素毎の輝度情報Ｙに基づき、明部時定数ＴＢを決定する。そして、続くステップＳ８０４で、係数決定部１０８が、変換部１０３から入力された画像信号の画素毎の輝度情報Ｙに基づき、暗部時定数ＴＤを決定する。
ここで、明部時定数ＴＢおよび暗部時定数ＴＤを決定する方法について詳しく説明する。
【００２３】
まず、係数決定部１０６が、明部時定数ＴＢを計算する処理（ステップＳ８０３）について説明する。以下に、その計算手順（ステップ１１，１２）を示す。
（ステップ１１）
ステップ１１では、閾値ＨＢ以上となる輝度ｙの面内の画素数（面積）を示す明部面積情報ＳＢを計算する。計算には、式（２）を用いる。
【数１】
2019168587.tif 000003
・・・式（２）
ただし、Ｋは画像毎に異なる最大画素数を１０２３に正規化するための、除算係数である。
【００２４】
（ステップ１２）
ステップ１２では、フレーム毎に計算した明部面積情報ＳＢから明部時定数ＴＢを計算する。計算式には、式（３）を用いる。
ＴＢ＝ｔａｂｌｅ＿ｔｂ（ＳＢ）・・・式（３）
ここで、ｔａｂｌｅ＿ｔｂは、明部ＴＢＬ１０５のテーブルデータである。ｔａｂｌｅ＿ｔｂ（ＳＢ）では、テーブルデータの明部面積情報ＳＢに対応した時定数データを抽出する。
このようにして、明部時定数ＴＢが決定される。
【００２５】
次に、係数決定部１０８が、暗部時定数ＴＤを計算する処理（ステップＳ８０４）について説明する。以下に、その計算手順（ステップ２１，２２）を示す。
（ステップ２１）
ステップ２１では、閾値ＨＤ以下となる輝度ｙの面内の画素数（面積）を示す暗部面積情報ＳＤを計算する。計算には、式（４）を用いる。
【数２】
2019168587.tif 000004
・・・式（４）
【００２６】
（ステップ２２）
ステップ２２では、フレーム毎に計算した暗部面積情報ＳＤから暗部時定数ＴＤを計算する。計算式には、式（５）を用いる。
ＴＤ＝ｔａｂｌｅ＿ｔｄ（ＳＤ）  ・・・式（５）
ここで、ｔａｂｌｅ＿ｔｄは、暗部ＴＢＬ１０７のテーブルデータである。ｔａｂｌｅ＿ｔｄ（ＳＤ）では、テーブルデータの暗部面積情報ＳＤに対応した時定数データを抽出する。
このようにして、暗部時定数ＴＤが決定される。
【００２７】
図８のフローチャートの説明に戻る。ステップＳ８０５〜ステップＳ８０７では、特徴量決定部１１０が、対象フレームの最大輝度値ＹＭ（ｎ）、前のフレームの最大輝度値ＹＭ（ｎ−１）に基づいて、発光部１０２の輝度を制御するために用いる特徴量Ａを決定する。
ここで、特徴量Ａを決定する方法について詳しく説明する。
特徴量決定部１１０は、対象フレームの最大輝度値ＹＭ（ｎ）と、前のフレームの最大輝度値ＹＭ（ｎ−１）と、明部時定数ＴＢまたは暗部時定数ＴＤとを用いて特徴量Ａを計算する。
【００２８】
ステップＳ８０５で特徴量決定部１１０は、対象フレームの最大輝度値ＹＭ（ｎ）と、前のフレームの最大輝度値ＹＭ（ｎ−１）との差分ＹＤ（ｎ）が正（０以上）であるか否かを判定する。差分ＹＤ（ｎ）は、下記の式（６）を用いて求められる。
ＹＤ（ｎ）＝ＹＭ（ｎ）−ＹＭ（ｎ−１）  ・・・式（６）
特徴量決定部１１０は、差分ＹＤ（ｎ）の正負判定を行い、差分ＹＤ（ｎ）が正（０以上）の場合（ステップＳ８０５でＹＥＳ）である場合、ステップＳ８０６で特徴量決定部１１０は、式（７）を用いて特徴量Ａを決定する。
Ａ＝ＹＭ（ｎ−１）＋ＴＢ／１０２３×ＹＤ（ｎ）  ・・・式（７）
この時、特徴量Ａの前のフレームの特徴量（最大輝度値ＹＭ（ｎ−１））に対する変化率は、式（８）で表される。
【数３】
2019168587.tif 000005
・・・式（８）
【００２９】
ステップＳ８０５で、差分ＹＤ（ｎ）が正（０以上）であることから、ＹＭ（ｎ）／ＹＭ（ｎ−１）は１以上である。また、明部時定数ＴＢは、図３より、０以上の値であり、明部面積情報ＳＢが大きいほど大きい。したがって、特徴量Ａの、前のフレームの特徴量（最大輝度値ＹＭ（ｎ−１））に対する変化率は、明部面積情報ＳＢが大きいほど大きく
なる。
差分ＹＤ（ｎ）が負の場合（ステップＳ８０５でＮＯ）である場合、ステップＳ８０７で特徴量決定部１１０は、式（９）を用いて特徴量Ａを決定する。
Ａ＝ＹＭ（ｎ−１）＋ＴＤ／１０２３×ＹＤ（ｎ）  ・・・式（９）
この時、特徴量Ａの前のフレームの特徴量（最大輝度値ＹＭ（ｎ−１））に対する変化率は、式（１０）で表される。
【数４】
2019168587.tif 000006
・・・式（１０）
【００３０】
ステップＳ８０５で、差分ＹＤ（ｎ）が負であることから、ＹＭ（ｎ）／ＹＭ（ｎ−１）は１以下である。また、暗部時定数ＴＤは、図４より、０以上の値であり、暗部面積情報ＳＤが大きいほど大きい。したがって、特徴量Ａの、前のフレームの特徴量（最大輝度値ＹＭ（ｎ−１））に対する変化率は、暗部面積情報ＳＤが大きいほど大きくなる。
後述するように、特徴量Ａに基づいて、発光部１０２の発光制御エリアの輝度が制御される。したがって、ＹＭ（ｎ）とＹＭ（ｎ−１）とが同じである場合に、明部面積情報ＳＢまたは暗部面積情報ＳＤが大きいほど、特徴量Ａの前のフレームの特徴量（最大輝度値ＹＭ（ｎ−１））に対する変化率（Ａ／ＹＭ（ｎ−１））が大きいといえる。また、ＹＭ（ｎ）とＹＭ（ｎ−１）とが同じである場合に、明部面積情報ＳＢまたは暗部面積情報ＳＤが大きいほど、特徴量Ａの前のフレームの特徴量（最大輝度値ＹＭ（ｎ−１））に対する変化量（Ａ−ＹＭ（ｎ−１））が大きいといえる。
【００３１】
対象フレームの最大輝度値ＹＭ（ｎ）（第１特徴値）が、前のフレームの最大輝度値ＹＭ（ｎ−１）以上（第２特徴値以上）の場合、明部面積情報ＳＢを用いて、特徴量Ａ（第３の特徴値）が決定される。このとき、明部面積情報ＳＢ（明るい画素が占める割合）が、相対的に小さい場合には、相対的に大きい場合よりも、前のフレームの最大輝度値ＹＭ（ｎ−１）との差が小さくなるように特徴量Ａが決定される（式（７）、図３）。
また、対象フレームの最大輝度値ＹＭ（ｎ）が、前のフレームの最大輝度値ＹＭ（ｎ−１）より小さい場合には、暗部面積情報ＳＤを用いて、特徴量Ａが決定される。このとき、暗部面積情報ＳＤ（暗い画素が占める割合）が、相対的に小さい場合には、相対的に大きい場合よりも、前のフレームの最大輝度値ＹＭ（ｎ−１）との差が小さくなるように特徴量Ａが決定される（式（９）、図４）。
このようにして、特徴量決定部１１０は、明部面積情報ＳＢまたは暗部面積情報ＳＤに基づいて、特徴量Ａを決定する。
【００３２】
図８のフローチャートの説明に戻る。ステップＳ８０８では、信号分配部１１１が、入力された特徴量Ａに基づいて、発光部１０２の制御エリアの光源制御パラメータｂｄを決定する。そして、ステップＳ８０９では、信号分配部１１１が、入力された特徴量Ａに基づいて、制御エリアに対応する表示部１０１の領域の信号ゲインｂｓを決定する。
ここで、光源制御パラメータｂｄと信号ゲインｂｓを決定する方法について詳しく説明する。
信号分配部１１１は、入力された特徴量Ａと、対象フレームの最大輝度値ＹＭを用いて、発光部１０２の制御エリアの光源制御パラメータｂｄを決定する（ステップＳ８０８）。また、信号分配部１１１は、光源制御パラメータｂｄを用いて、制御エリアに対応する表示部１０１の領域の信号ゲインｂｓを決定する（ステップＳ８０９）。
【００３３】
ステップＳ８０８で信号分配部１１１は、制御エリアにおけるバックライトの明るさを、光源制御パラメータｂｄに変換する。光源制御パラメータｂｄは、入力された特徴量Ａ
と最大特徴量Ｙｍａｘを用いて、下記の式（１１）で計算できる。ここで、最大特徴量Ｙｍａｘは、フレームが取り得る最大の輝度値であるとする。つまり、光源制御パラメータｂｄは、特徴量が取り得る最大の値に対する特徴量Ａの比率を示す値である。光源制御パラメータｂｄは、０〜２５５までを範囲とする整数であるとする。
ｂｄ  ＝  ＩＮＴ（Ａ  ÷  Ｙｍａｘ  ×２５５）・・・式（１１）
ここで、ＩＮＴは、カッコ内部の整数成分を取得するという意味である。光源制御パラメータｂｄは、制御エリアにおけるＬＥＤの明るさを制御する情報である。光源制御パラメータｂｄは、値が大きいほど制御エリアが明るく発光することを示すこととする。例えば、光源制御パラメータｂｄが２５５である場合に、対応する光源の発光輝度が最大になる。
【００３４】
ステップＳ８０９で信号分配部１１１は、制御エリアに対応する信号ゲインｂｓを決定する。信号ゲインｂｓは、ステップＳ８０８で決定した光源制御パラメータｂｄを用いて、下記の式（１２）で計算できる。
ｂｓ  ＝  （ｂｄｍａｘ／ｂｄ）（１／ｐｇａｍ）  ・・・式（１２）
ここで、制御エリアに対応する信号ゲインｂｓは、制御エリアの信号に乗算する補正ゲイン情報である。ｂｄｍａｘは、光源制御パラメータｂｄがとり得る最大の値とする。ｐｇａｍは表示部１０１のγ値である。例えば、γ値が２．２のパネルの場合は、ｐｇａｍは２．２となる。
つまり、式（１２）では、光源の光量を下げた分を信号処理で持ち上げる乗算量を計算する。本実施例では、計算を簡易化するためにｐｇａｍ＝１．０とする。
図８のフローチャートの説明に戻ると、光源制御パラメータｂｄが光源駆動部１１３に出力され、信号ゲインｂｓが信号処理部１１２へ送信された後、ステップＳ８１０で、表示部１０１は、発光部１０２からの光を変調して画像を表示する。
【００３５】
以下に、本実施例のフリッカ低減制御の具体例について、図５（Ａ）〜図５（Ｃ）、図６（Ａ）〜図６（Ｄ）、図７（Ａ）〜図７（Ｄ）の模式図を用いて説明する。
まず、入力された画像信号について説明する。
図５（Ａ）〜図５（Ｃ）は、画像信号の時間変化のイメージを示す模式図である。
図５（Ａ）に示す画像信号５０１では、階調値が１２８階調のグレー背景に、画面右上に暗めの太陽５０５が表示され、その太陽の光を受けた葉っぱ５０６が画面左下に表示されている。
図５（Ｂ）に示す画像信号５０２では、画像信号５０１と同様に、階調値が１２８階調のグレー背景に、葉先５０７が太陽光の光で全反射して最大階調２５５となっている状態の画像である。
図５（Ｃ）に示す画像信号５０３では、画像信号５０１と同じ画像信号である。
この画像信号５０１、５０２、５０３が順に入力される。
画像信号５０１、５０２、５０３を表示させる発光部１０２は、図２で説明した模式図と同様、画面に１つの制御エリアである。この制御エリア１０２０１の中で、グレー背景部に対応する画像信号の領域を、領域５１１とする。
【００３６】
次に従来の制御で、信号分配部１１１が、対象フレームの特徴量（最大輝度値ＹＭ（ｎ））を、特徴量Ａとしてそのまま用いて、液晶の透過率と、光源輝度を決定したときに発生するフリッカについて説明する。
図６（Ａ）〜図６（Ｄ）は、本実施例の制御を行う前に、画像信号の変化に合わせて、液晶の透過率、光源の点灯制御、および視認される光量がどうなるかを示した模式図である。
ここでは、信号分配部１１１が、図５（Ａ）〜図５（Ｃ）で説明した画像信号５０１〜５０３が入力された場合に、視認される光量が変化しないよう液晶の透過率を半分、光源の明るさを２倍に制御した場合について説明する。また、液晶のγ値は計算を簡略化する
ために１．０（＝ｐｇａｍ）とする。
【００３７】
図６（Ａ）には、入力された画像信号の垂直同期信号６０１を示している。また、画像信号５０１、５０２、５０３にそれぞれ対応したフレーム期間６０２、６０３、６０４を示している。
図６（Ｂ）には、領域５１１の液晶の透過率変化を示す透過率信号６０５を示している。領域５１１の透過率は、画像信号５０１から画像信号５０２に変化したときに、階調値を１２８から６４の半分に変化する。図６（Ｂ）では、簡略化のために液晶の応答を線形的に変化するものとして説明する。
図６（Ｃ）には、領域５１１の光源の明るさ変化を示した光源明るさ制御信号６０６を示している。領域５１１の光源光量変化は、画像信号５０１から画像信号５０２に変化したときに、表示輝度が変わらないよう、光源の明るさ制御量が２５から５０の２倍に変化する。
【００３８】
図６（Ｄ）には、領域５１１の光源の明るさと液晶の透過率を乗算して最終的に視認される明るさ変化を示した信号６０７を示している。また図６（Ｄ）には、画像信号５０１の領域５１１を視認したときの光量を斜線部６０８で示し、画像信号５０２の領域５１１を視認したときの光量を斜線部６０９で示している。
この斜線部６０８と斜線部６０９の面積を比較すると、斜線部６０９の方が、液晶の応答変化が遅いために、大きくなっている。
つまり、この面積比だけ視認される光量に差が生じて、この差がフリッカとして視認されてしまう。
【００３９】
次に本実施例で、特徴量決定部１１０が決定した特徴量Ａに応じて、信号分配部１１１が液晶透過率と光源輝度を決定する制御について説明する。
図７（Ａ）〜図７（Ｄ）は、本実施例において、画像信号の変化に合わせて、液晶の透過率、光源の点灯制御、および視認される光量がどうなるかを示した模式図である。
ここでは、図５（Ａ）〜図５（Ｃ）と同様の画像信号５０１〜５０３が入力された場合の制御について説明する。また、液晶のγ値は計算を簡略化するために１．０（＝ｐｇａｍ）とし、閾値ＨＢは２３５、閾値ＨＤは３２とする。
【００４０】
特徴量決定部１１０では、画像信号５０１から画像信号５０２にかけて、検出した明部面積情報に応じて、特徴量Ａを決定する。
画像信号５０１から画像信号５０２に変化したときは、閾値ＨＢ以上となる画像領域が葉っぱの全反射部となるため、検出される明部面積情報ＳＢは、ほぼ０となる。
このため、図３の明部ＴＢＬから求める明部時定数ＴＢも０となり、画像信号５０２の期間では、特徴量Ａが変化しない。
また、画像信号５０２から画像信号５０３に変化したときも、背景部が１２８階調のため検出される暗部面積情報ＳＤも、ほぼ０となる。このため、図４の暗部ＴＢＬから求める暗部時定数ＴＤも０となり、画像信号５０３の期間でも、特徴量Ａが変化しない。
つまり、本実施例では、画像信号５０１から画像信号５０３にかけて、特徴量Ａを変化させない制御となる。
【００４１】
図７（Ａ）には、図６（Ａ）同様、垂直同期信号６０１を示している。
図７（Ｂ）には、領域５１１の液晶の透過率変化を示す透過率信号７０１を示している。このように透過率信号７０１は、画像信号５０１から画像信号５０３にかけて変化しない。
図７（Ｃ）には、領域５１１の光源の明るさ変化を示した光源明るさ制御信号７０２を示している。このように光源明るさ制御信号７０２は、画像信号５０１から５０３にかけて変化しない。
図７（Ｄ）には、領域５１１の光源の明るさと液晶の透過率を乗算して最終的に視認される明るさ変化を示した信号７０３を示している。また図７（Ｄ）には、画像信号５０１の領域５１１を視認したときの光量を斜線部７０４で示し、画像信号５０２の領域５１１を視認したときの光量を斜線部７０５で示している。
この斜線部７０４と斜線部７０５の面積を比較すると、透過率および光源光量も変化しないため、斜線部７０４と斜線部７０５の面積は同じになる。
つまり、画像信号が変化しても光量差が生じないため、フリッカを低減することが可能となる。
【００４２】
［変形例１］
上述した実施例１では、明部ＴＢＬ１０５、暗部ＴＢＬ１０７それぞれのテーブルデータを一種類だけ用意して、フリッカを低減する制御について説明した。
一般に表示装置は、光源の光量を変えることで最大輝度を変えることが可能である。光源の光量が変わる場合、液晶パネルの応答遅延による漏れ光量も、光源の光量に応じて変化する。つまり、光量が変化すると漏れ光量が変化し、視認されるフリッカ度合いが変化してしまうことが懸念される。
この課題に対応するために、明部ＴＢＬ１０５、暗部ＴＢＬ１０７を、光源の光量の複数の設定値に応じてそれぞれ複数設けるか、あるいは光量に応じて時定数を変えるように制御してもよい。このように制御することで、光源の明るさによって変わる漏れ光量に応じて、フリッカを低減することが可能となる。
【００４３】
以上説明したように、本実施例では、係数決定部１０６、係数決定部１０８が、画像信号の明部面積情報および暗部面積情報から、フリッカが低減する時定数を決定している。そして、特徴量決定部１１０が、決定された時定数を用いて最大輝度値ＹＭから特徴量Ａを決定している。
この制御により、不要な光源の明るさ制御をなくし、フリッカを低減させることが可能となる。したがって、本実施例の表示装置を用い、画像に応じて、光源および表示部の明るさを変える制御を行っても、フリッカを低減することが可能となり、特に、ＧＤ制御を用いて、画像の表示を行うときに、より効果的にフリッカを低減することができる。
【００４４】
なお、本実施例では、明部面積情報または暗部面積情報が小さいほど、時定数が大きくなるように、明部時定数または暗部時定数を決定したが、これに限らない。例えば、前のフレームから対象フレームにおいて、特徴量（最大輝度値）が増加した場合、明部面積情報が所定の閾値以上である場合に、そうでない場合よりも時定数を小さくするものであってもよい。同様に、前のフレームから対象フレームにおいて、特徴量（最大輝度値）が減少した場合、暗部面積情報が所定の閾値以上である場合に、そうでない場合よりも時定数を小さくするものであってもよい。すなわち、時定数と明部面積情報または暗部面積情報との対応関係が、ステップ状に変化するものであってもよい。
また、本実施例では、時定数を用いて、特徴量Ａを決定するものであったが、これに限るものではない。すなわち、明部面積情報または暗部面積情報が、相対的に小さい場合には、相対的に大きい場合よりも、１フレーム期間遅らせた最大輝度値ＹＭとの差が小さくなるように特徴量Ａが決定されるものであればよい。
【００４５】
また、本実施例では、フレームの明るさの変化に応じて、明部面積情報と暗部面積情報のうちいずれか一方が選択され、選択された一方に基づいて表示処理が行われるものであったが、これに限るものではない。すなわち、フレームの明るさの変化に対して明部面積情報のみに基づいて表示処理が行われるものであってもよい。この場合には、図１における、暗部ＴＢＬ１０７、係数決定部１０８を設ける必要はない。
また、本実施例では、発光部１０２に制御エリアが１つ設けられている形態について示したが、これに限るものではなく、発光部１０２に制御エリアが複数設けられるものであ
ってもよい。そして、発光部１０２は、複数の制御エリア（発光領域）のそれぞれの発光輝度を個別に制御可能であるとよい。このとき、制御回路基板は、複数の制御エリアのそれぞれに対応するフレームの領域に基づいて、対応する制御エリアの発光輝度を制御する。また、複数の制御エリアは、発光部１０２は、画面の上下方向（鉛直方向）にｍ行、左右方向（水平方向）にｎ列に分割されるものであると好ましいが、これに限るものではない。また、制御エリアの形状は、図２では四角形としているが、これに限るものではない。そして、分割された制御エリア毎に、最大輝度値ＹＭ、特徴量Ａ、光源制御パラメータｂｄ、信号ゲインｂｓが求められることで、上述した表示処理が実行されるものであるとよい。
【００４６】
＜実施例２＞
以下に、実施例２について説明する。
上述した実施例１では、対象フレームの前のフレームの最大輝度値ＹＭ（ｎ−１）を用いて特徴量Ａを決定し、フリッカを低減する制御を行った。
これに対して、本実施例では、特徴量Ａを決定する際に、対象フレームの前のフレームの特徴量Ａ（ｎ−１）と、対象フレームの最大輝度値ＹＭ（ｎ）とを用いて、対象フレームの特徴量Ａ（ｎ）を決定するという点で、実施例１と異なる。本実施例では、急峻な最大輝度値の変化後に、徐々に最大輝度値の面積（画素数）が増加しても、フリッカを低減することができる。なお、以下の説明では、実施例１と異なる部分について説明を行い、実施例１と同様の部分については適宜説明を省略する。
【００４７】
図９は、本実施例の表示装置の構成の一例を示す模式図である。図９の各機能部において、実施例１で説明した図１の各機能部との違いは、フレームメモリ２０１が、特徴量決定部１１０から出力された特徴量Ａを１フレーム保存する処理となっていることである。
フレームメモリ２０１は、特徴量決定部１１０からの特徴量Ａを、画像のフレーム期間毎に一時保存し、１フレーム期間遅らせた特徴量Ａを特徴量決定部１１０へ出力する。
本実施例の特徴量決定部１１０は、対象フレームの前のフレームの特徴量Ａ（ｎ−１）、対象フレームの最大輝度値ＹＭ（ｎ）、明部時定数ＴＢ、暗部時定数ＴＤに基づき、発光部１０２の光量および表示部１０１の画像を制御する特徴量Ａ（ｎ）を決定する。特徴量Ａ（ｎ）は、フレームメモリ２０１、信号分配部１１１へ出力される。
【００４８】
以下に、特徴量Ａを計算する方法について説明する。
特徴量決定部１１０が、対象フレームの最大輝度値ＹＭ（ｎ）と、前のフレームの特徴量Ａ（ｎ−１）、明部時定数ＴＢ、暗部時定数ＴＤに基づき、特徴量Ａ（ｎ）を計算する手順について説明する。以下に、計算手順（ステップ５１，５２）を示す。
（ステップ５１）
ステップ５１では、対象フレームの最大輝度値ＹＭ（ｎ）と、前のフレームの特徴量Ａ（ｎ−１）の差分を計算する。ｎ番目のフレームの最大値差分を差分ＹＤ（ｎ）とし、下記の式（１３）を用いて計算する。
ＹＤ（ｎ）＝ＹＭ（ｎ）−Ａ（ｎ−１）  ・・・式（１３）
【００４９】
（ステップ５２）
ステップ５２では、差分ＹＤ（ｎ）の正負判定を行い、各判定に基づいた特徴量Ａ（ｎ）を計算する。計算式は式（１４）、式（１５）を用いる。
もし、差分ＹＤ（ｎ）が正の場合（０以上）ならば、
Ａ（ｎ）＝Ａ（ｎ−１）＋ＴＢ／１０２３×ＹＤ（ｎ）  ・・・式（１４）
それ以外なら（差分ＹＤ（ｎ）が負の場合）、
Ａ（ｎ）＝Ａ（ｎ−１）＋ＴＤ／１０２３×ＹＤ（ｎ）  ・・・式（１５）
【００５０】
実施例１では、対象フレームの最大輝度値ＹＭ（ｎ）が、前のフレームの最大輝度値Ｙ
Ｍ（ｎ−１）以上の場合、明部面積情報ＳＢを用いて、対象フレームの特徴量Ａ（ｎ）が決定されるものであった。これに対して本実施例では、対象フレームの最大輝度値ＹＭ（ｎ）が、前のフレームの特徴量Ａ（ｎ−１）以上の場合、明部面積情報ＳＢを用いて、対象フレームの特徴量Ａ（ｎ）が決定される。このとき、明部面積情報ＳＢが、相対的に小さい場合には、相対的に大きい場合よりも、前のフレームの特徴量Ａ（ｎ−１）との差が小さくなるように、対象フレームの特徴量Ａ（ｎ）が決定される（式（１４）、図３）。
また、実施例１では、対象フレームの最大輝度値ＹＭ（ｎ）が、前のフレームの最大輝度値ＹＭ（ｎ−１）より小さい場合には、暗部面積情報ＳＤを用いて、対象フレームの特徴量Ａ（ｎ）が決定されるものであった。これに対して本実施例では、対象フレームの最大輝度値ＹＭ（ｎ）が、前のフレームの特徴量Ａ（ｎ−１）より小さい場合には、暗部面積情報ＳＤを用いて、対象フレームの特徴量Ａ（ｎ）が決定される。このとき、暗部面積情報ＳＤが、相対的に小さい場合には、相対的に大きい場合よりも、前のフレームの特徴量Ａ（ｎ−１）との差が小さくなるように、対象フレームの特徴量Ａ（ｎ）が決定される（式（１５）、図４）。
このような方法を用いることで、急峻な最大輝度値の変化後に、徐々に最大輝度値の面積が増加する場合であっても、連続したフレームにわたり検出された明部面積情報または暗部面積情報に応じた特徴量Ａを決定することが可能となる。
【００５１】
以上説明したように本実施例によれば、実施例１同様の効果を得ることができる。本実施例では、さらに、急峻な最大輝度値の変化後に、徐々に最大輝度値の面積が増加する場合であっても、連続したフレームにわたり、明部面積情報または暗部面積情報に応じたフリッカを低減することが可能となる。
なお、本実施例では、特徴量Ａを決定する際に、前のフレームの特徴量Ａ（ｎ−１）と、対象フレームの最大輝度値ＹＭ（ｎ）とを用いて、対象フレームの特徴量Ａ（ｎ）を決定するものであった。ここで、光源制御パラメータｂｄは、上述の式（１１）のように、特徴量Ａと最大輝度値ＹＭから求められる。したがって、前のフレームの光源制御パラメータｂｄと、対象フレームの最大輝度値ＹＭ（ｎ）とを用いて、対象フレームの特徴量Ａ（ｎ）を決定することで、表示処理を行うこともできる。
【００５２】
［変形例２］
上述した実施例２では、画像信号の変化として急峻な最大輝度値の変化後、徐々に最大輝度値の面積が増加する場合においても、フリッカを低減することができることについて説明した。
ここで、この最大輝度値の面積が徐々に変化する画像信号の場合、実施例２と同様にフリッカを低減する光源制御を行った後の、光源の明るさ変化が速いと、面内のコントラスト変化がフリッカとして視認されてしまうことが懸念される。
【００５３】
図１０（Ａ）〜図１０（Ｃ）は、フリッカが発生する画像信号の変化例を示す模式図である。図１０（Ａ）に示す画像信号９０１では、階調値が２階調の暗い背景に、画面右上に明るめの月９０５が、雲９０４でほぼ覆い隠された状態で表示されている。
図１０（Ｂ）に示す画像信号９０２では、階調値が２階調の暗い背景に、画面右上に明るめの月９０５の半分ほどが、雲９０４でほぼ覆い隠された状態で表示されている。
図１０（Ｃ）に示す画像信号９０３では、階調値が２階調の暗い背景に、画面右上に明るめの月９０５が、雲９０４で隠れずに表示されている。
【００５４】
このように図１０（Ａ）〜図１０（Ｃ）では、雲９０４に隠れた月９０５が徐々に見え始める画像変化となっている。このような画像変化の場合、暗い背景部も光源の明るさ変化により、明るさが変化してしまう。これは、ＧＤ制御のような画像信号に応じたコントラスト制御を行っている場合、階調値が２である背景は光源の明るさ制御により、液晶の透過率制御以下の輝度となっているためである。このような場合には、光源の明るさ変化
と連動して輝度も変化してしまう。
このとき、背景部の輝度変化が速いと、月と背景部のコントラスト感が大きく変化したような、目につくフリッカが発生してしまうことが懸念される。
【００５５】
これに対して、明部ＴＢＬ１０５、暗部ＴＢＬ１０７を図１１に示すような時定数となる特性とし、徐々に特徴量Ａが変化するように制御することで、本課題に対応することが可能となる。
図１１は、本変形例の明部ＴＢＬ１００１および暗部ＴＢＬ１００２を示す模式図である。
図１１に示すように、明部面積情報ＳＢまたは暗部面積情報ＳＤが小さいほど、明部面積情報ＳＢまたは暗部面積情報ＳＤの単位大きさ当たりの時定数の変化の割合（明部面積情報ＳＢまたは暗部面積情報ＳＤに対する上述の変化率の変化）が小さい。ここで、単位大きさ当たりの時定数の変化の割合は、図１１における明部ＴＢＬ１００１または暗部ＴＢＬ１００２の傾きに対応する。
すなわち、図１１に示すように、明部ＴＢＬ１００１において、明部面積情報ＳＢが小さい範囲では、明部面積情報ＳＢに対して緩やかに時定数が大きくなる特性となっている。また、暗部ＴＢＬ１００２において、暗部面積情報ＳＤが小さい範囲では、暗部面積情報ＳＤに対して緩やかに時定数が大きくなる特性となっている。
つまり、図１１に示すような時定数で光源輝度を制御すると、明部面積情報ＳＢまたは暗部面積情報ＳＤが大きくならない限り、ゆっくりと光源輝度を制御することが可能となる。
【００５６】
一般に、人間の視覚特性、特に視覚の時間周波数特性としては、光源を駆動する周波数毎に、光源の明滅を知覚できる明るさの差を規定できる。この規定できる輝度差が知覚できないように、図１１の明部ＴＢＬ１００１および暗部ＴＢＬ１００２を作成するとよい。
つまり、光源の明滅差が知覚されないよう光源の明るさを制御することで、コントラスト変化も知覚されにくくなり、フリッカを低減する制御が可能となる。
【００５７】
また、明部ＴＢＬ１００１および暗部ＴＢＬ１００２を、視覚の空間周波数特性に応じて作成してもよい。一般に、人間の視覚の空間周波数特性としては、画像信号の空間周波数特性毎に、コントラストを知覚できる明るさの差が規定できる。そして、この空間周波数特性は画像の明るさに応じても変化する。
例えば、明部ＴＢＬ１００１を、視覚特性として明るい場合の空間周波数特性を用いて作成し、暗部ＴＢＬ１００２を、逆に暗い場合の空間周波数特性を用いて作成する。このようにテーブルを作成することで、明るい画素面積が多いと検出された場合には、明るい場合の視覚特性に応じて、知覚できるコントラスト差が大きく変化しないよう制御することが可能となる。また逆に、暗い画素面積が多いと検出された場合には、暗い場合の視覚特性に応じて、知覚できるコントラスト差が大きく変化しないように制御することが可能となる。
このように知覚特性に応じた光源の明るさ制御を行うことで、画面内のコントラスト変化を小さくすることができ、コントラスト変化が目につくフリッカを低減する制御が可能となる。
【００５８】
なお、実施例１，２の装置の各機能部は、個別のハードウェアであってもよいし、そうでなくてもよい。２つ以上の機能部の機能が、共通のハードウェアによって実現されてもよい。１つの機能部の複数の機能のそれぞれが、個別のハードウェアによって実現されてもよい。１つの機能部の２つ以上の機能が、共通のハードウェアによって実現されてもよい。また、各機能部は、ハードウェアによって実現されてもよいし、そうでなくてもよい。例えば、装置が、プロセッサと、制御プログラムが格納されたメモリとを有していても
よい。そして、装置が有する少なくとも一部の機能部の機能が、プロセッサがメモリから制御プログラムを読み出して実行することにより実現されてもよい。
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施例は本発明の一実施形態を示すものにすぎず、各実施例の構成を適宜組み合わせることも可能である。
【００５９】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００６０】
１…表示装置、１０１…表示部、１０２…発光部、１０３…変換部、１０４…特性取得部、１０９…フレームメモリ、１１０…特徴量決定部、１１１…信号分配部
【図１】
2019168587.tif 000007
【図２】
2019168587.tif 000008
【図３】
2019168587.tif 000009
【図４】
2019168587.tif 000010
【図５】
2019168587.tif 000011
【図６】
2019168587.tif 000012
【図７】
2019168587.tif 000013
【図８】
2019168587.tif 000014
【図９】
2019168587.tif 000015
【図１０】
2019168587.tif 000016
【図１１】
2019168587.tif 000017